(57)【要約】【課題】アイコン画像を表示する際の、そのアイコン画像の意味などの案内が、必要な際に的確に行えるようにする。【解決手段】画像を撮像する撮像部と、説明モードのオン／オフを切り替える制御と、機能状態を示す第１のアイコンを複数表示させる制御とを行う制御部とを有する。複数の第１のアイコンは、第１の機能に対応する第１の機能状態を示す、選択されたアイコンを含むとともに、画像とともに表示される。選択されたアイコンは、他の複数の第１のアイコンとは区別して表示される。説明モードがオンの場合には、選択されたアイコンを、第１の機能に対応する第２の機能状態を示す第２のアイコン及び選択されたアイコンに関する説明表示とともに表示させる。【選択図】図１０
2018064282.tif 000002
【特許請求の範囲】
【請求項１】
画像を撮像する撮像部と、
説明モードのオン／オフを切り替える制御と、機能状態を示す第１のアイコンを複数表示させる制御と、を行う制御部と、を有し、
前記複数の第１のアイコンは、第１の機能に対応する第１の機能状態を示す、選択されたアイコンを含むとともに、前記画像とともに表示され、
前記選択されたアイコンは、他の前記複数の第１のアイコンとは区別して表示され、
前記制御部は、前記説明モードがオンの場合には、前記選択されたアイコンを、前記第１の機能に対応する第２の機能状態を示す第２のアイコン及び前記選択されたアイコンに関する説明表示とともに表示させる
撮像装置。
【請求項２】
前記複数の第１のアイコンは、電池残量表示を示すアイコン、及び画像サイズを示すアイコンとを含む
請求項１に記載の撮像装置。
【請求項３】
前記第１の機能は、撮影モードの設定機能である
請求項１又は２に記載の撮像装置。
【請求項４】
前記第１の機能状態は、複数の撮影モードにおける現在設定されている撮影モードである
請求項１〜３のいずれか１項に記載の撮像装置。
【請求項５】
前記選択されたアイコンは、前記現在設定されている撮影モードを示すアイコンである
請求項１〜４のいずれか１項に記載の撮像装置。
【請求項６】
前記複数の第１のアイコンは、前記現在設定されている撮影モードを示すアイコンを含む
請求項１〜５のいずれか１項に記載の撮像装置。
【請求項７】
前記複数の第１のアイコンは、フラッシュ機能における現在の機能設定状態を示すアイコンを含む
請求項１〜６のいずれか１項に記載の撮像装置。
【請求項８】
前記説明モードがオフの場合には、前記説明表示は表示されない
請求項１〜７のいずれか１項に記載の撮像装置。
【請求項９】
前記説明表示は、前記選択されたアイコンに対するユーザの選択操作に応じて表示される
請求項１〜８のいずれか１項に記載の撮像装置。
【請求項１０】
前記説明表示は、前記第１の機能に関するタイトルをさらに含む
請求項１〜９のいずれか１項に記載の撮像装置。
【請求項１１】
前記説明表示は、前記第１の機能状態に関する説明を含む
請求項１〜１０のいずれか１項に記載の撮像装置。
【請求項１２】
前記画像は、背景画像として前記複数の第１のアイコンとともに表示される
請求項１〜１１のいずれか１項に記載の撮像装置。
【請求項１３】
前記第１のアイコンは文字を含む
請求項１〜１２のいずれか１項に記載の撮像装置。
【請求項１４】
前記選択されたアイコンは、選択枠の表示により、他の前記複数の第１のアイコンと区別して表示される
請求項１〜１３のいずれか１項に記載の撮像装置。
【請求項１５】
さらに表示部を有する
請求項１〜１４のいずれか１項に記載の撮像装置。
【請求項１６】
前記制御部は、ユーザ操作による前記第２のアイコンの選択に応じて、前記第１の機能を前記第２の機能状態に設定する
請求項１〜１５のいずれか１項に記載の撮像装置。
【請求項１７】
画像を撮像する撮像処理と、
説明モードのオン／オフを切り替える制御と、機能状態を示す第１のアイコンを複数表示させる制御と、を行う制御処理とを含み、
前記複数の第１のアイコンは、第１の機能に対応する第１の機能状態を示す、選択されたアイコンを含むとともに、前記画像とともに表示され、
前記選択されたアイコンは、他の前記複数の第１のアイコンとは区別して表示され、
前記制御処理として、前記説明モードがオンの場合には、前記選択されたアイコンを、前記第１の機能に対応する第２の機能状態を示す第２のアイコン及び前記選択されたアイコンに関する説明表示とともに表示させる
表示方法。
【発明の詳細な説明】
【技術分野】
【０００１】
本発明は、例えば静止画や動画の撮像装置に適用して好適な撮像装置及び表示方法に関し、特に、画面上にアイコンを表示させる場合に適用される技術に関する。
【背景技術】
【０００２】
従来、例えばデジタルスチルカメラなどの撮像装置において、撮像画像や再生画像を表示する表示部で、撮像装置の動作モードや動作状況などを示す各種アイコン画像を表示させるようにしてある。例えば、電池残量、撮影サイズ、撮影モードなどをアイコン画像として表示させるようにしてある。
【０００３】
このようなアイコン画像が表示される装置を使用するユーザは、それぞれのアイコン画像の意味を、予めユーザが覚えておく必要がある。ユーザにとっては、各アイコン画像の意味が判っている場合、表示されたアイコン画像から直ちに、現在の装置の状態が判り便利である。アイコン画像の意味は、通常、その装置の取り扱い説明書で説明するようにしてある。
【０００４】
特許文献１には、アイコン画像を表示させる場合に、操作者からの次の指示入力が所定時間以内になかった場合に、アイコン画像の名称をアイコン画像に重畳して半透明の状態で表示する点についての記載がある。
【先行技術文献】
【特許文献】
【０００５】
【特許文献１】特開２００６−３２３５７８号公報
【発明の概要】
【発明が解決しようとする課題】
【０００６】
特許文献１に記載のように、操作が一定時間ない状況の際に、アイコン画像の表示箇所に、アイコン画像の名称を表示させることで、表示されたアイコン画像が何を意味しているのか、その表示された名称から最低限の機能は知ることが出来る。
ところが、例えば撮像装置のディスプレイで、何も操作がない状況が一定時間続く毎に、常にアイコン画像に名称を示す文字が表示されることになり、撮像装置での撮影に集中しているユーザにとっては、非常に煩わしい表示形態になってしまう。
【０００７】
特に、近年の撮像装置の多機能化に伴い、ディスプレイに表示されるアイコン画像の種類も多くなっており、１つの画面中に表示された多数のアイコン画像のそれぞれで、アイコンの名称が随時表示されるのは、好ましいとは言えない。このため、例え名称が表示される機能があったとしても、ユーザは、名称が表示される機能をオフにしたモードで使用される可能性が高く、そのような名称表示機能が生かされない可能性が高い。
【０００８】
このように、画面中に表示されたアイコン画像の意味がユーザに判るようにするための改善については、従来から各種提案がなされているが、必ずしもユーザにとって使い勝手よい案内とは言えない問題があった。
【０００９】
なお、ここまでの説明では、撮像装置のディスプレイ表示を例にして説明したが、アイコン画像を表示する表示部を備えた各種機器においては、いずれの機器の場合にも同様の問題がある。
【００１０】
本発明はこれらの点に鑑みてなされたものであり、表示部にアイコン画像を表示する際の、そのアイコン画像の意味などの案内が、必要な際に的確に行えるようにすることを目的とする。
【課題を解決するための手段】
【００１１】
本発明の撮像装置は、画像を撮像する撮像部と、説明モードのオン／オフを切り替える制御と、機能状態を示す第１のアイコンを複数表示させる制御と、を行う制御部と、を有する。
複数の第１のアイコンは、第１の機能に対応する第１の機能状態を示す、選択されたアイコンを含むとともに、画像とともに表示される。選択されたアイコンは、他の複数の第１のアイコンとは区別して表示される。
制御部は、説明モードがオンの場合には、選択されたアイコンを、第１の機能に対応する第２の機能状態を示す第２のアイコン及び選択されたアイコンに関する説明表示とともに表示させる。
【発明の効果】
【００１２】
本発明によると、説明モードがオンの場合には、選択されたアイコンを、第１の機能に対応する第２の機能状態を示す第２のアイコン及び選択されたアイコンに関する説明表示とともに表示させることができる。したがって、装置の操作に対するユーザの理解を効果的に助けることができると共に、結果的に装置の操作性の向上につながる。
【図面の簡単な説明】
【００１３】
【図１】本発明の一実施の形態による撮像装置の例を示す正面（ａ）及び背面（ｂ）の斜視図である。
【図２】本発明の一実施の形態による撮像装置の構成例を示すブロック図である。
【図３】本発明の一実施の形態による説明モード起動時の処理例を示すフローチャートである。
【図４】本発明の一実施の形態によるアイコン説明用のデータの例を示す説明図である。
【図５】本発明の一実施の形態によるアイコンテーブル作成処理例を示すフローチャートである。
【図６】本発明の一実施の形態によるアイコンテーブルの例を示す説明図である。
【図７】本発明の一実施の形態によるアイコン説明時のアイコン表示処理例を示すフローチャートである。
【図８】本発明の一実施の形態による使用時の表示例を示す説明図である。
【図９】本発明の一実施の形態による説明モードボタン操作時の表示例を示す説明図である。
【図１０】本発明の一実施の形態によるアイコン説明モードでのアイコン選択時の表示例を示す説明図である。
【図１１】本発明の一実施の形態によるアイコン説明モードで、アイコン選択位置を移動させた際の表示例を示す説明図である。
【図１２】本発明の一実施の形態による特定のアイコンの説明の表示例を示す説明図である。
【図１３】本発明の一実施の形態による別のアイコンの説明の表示例を示す説明図である。
【図１４】本発明の一実施の形態によるアイコン説明から実行状態に移行した際の表示例を示す説明図である。
【図１５】本発明の一実施の形態によるアイコン説明で、説明内容がない場合の表示例を示す説明図である。
【図１６】本発明の他の実施の形態の例（タッチパネルの例）によるアイコン説明モードでのアイコン選択時の表示例を示す説明図である。
【発明を実施するための形態】
【００１４】
以下の順序で、本発明の実施の形態について説明する。
１．一実施の形態の撮像装置の形状の例（図１）
２．一実施の形態の撮像装置の内部構成の例（図２）
３．一実施の形態の例の説明モード起動時の処理（図３，図４，）
４．一実施の形態の例のアイコンテーブル作成処理（図５，図６）
５．他の実施の形態の例（タッチパネルの例）の表示例（図１６）
６．変形例
【００１５】
［１．一実施の形態の撮像装置の形状の例］
本発明の一実施の形態の撮像装置について説明する。
本実施の形態においては、画像処理装置を、静止画や動画の撮像を行うカメラである撮像装置に適用したものである。
図１は、本実施の形態の例の撮像装置の形状を示した斜視図であり、図１（ａ）は正面側を示し、図１（ｂ）は背面側を示す。
【００１６】
図１（ａ）に示すように、撮像装置１００本体を構成する筐体の正面側には撮像レンズ１０１が配置してあり、脇にフラッシュ１０４が配置してあり、上面にシャッタボタン１０２及び電源ボタン１０３が配置してある。電源ボタン１０３をユーザが操作することで、撮像装置１００は起動し、撮像するタイミングでシャッタボタン１０２をユーザが操作したタイミングで、静止画又は動画の撮像が行われる。
【００１７】
図１（ｂ）に示すように、撮像装置１００本体を構成する筐体の背面側には、表示部を構成する液晶表示パネル２００と、操作入力受付部を構成する各種操作ボタンが配置してある。配置された操作ボタンとしては、ここでは、再生ボタン１０５と、上下左右キー１０６と、決定キー１０７と、説明モードボタン１０８と、メニューボタン１０９とが配置してある。
再生ボタン１０５は、記録済みの静止画や動画の再生を指示するボタンである。上下左右キー１０６は、上下と左右の４方向を指示するボタンであり、操作を確定させる決定キー１０７との組み合わせで、液晶表示パネル２００で各種案内表示や操作用の表示を行った際に、ユーザ入力が必要な表示についての入力を行うためのものである。
説明モードボタン１０８は、撮像装置１００の動作モードを説明モードとするボタンである。説明モードでの処理の詳細については後述する。メニューボタンは、液晶表示パネル２００に各種操作用のメニュー画面を表示させるボタンである。
なお、操作入力受付部としては、このような操作を直接受け付けるボタンやキーなどを備えた操作入力受付部の他に、外部の別の機器（リモートコントローラなど）からの操作入力を受け付ける操作入力受付部としてもよい。また、後述する別の例のように、タッチパネルを操作入力受付部としたものでもよい。
【００１８】
また、撮像装置１００本体を構成する筐体の側面には、開閉自在な蓋１１０が配置してあり、その蓋１１０の内部に電池収納部１１１と、メモリカードスロット１１２と、接続端子１１３とが配置してある。電池収納部１１１は、この撮像装置１００を駆動する電源を供給する電池が収納される箇所である。メモリカードスロット１１２は、撮像装置１００で撮像した画像データなどが記録（記憶）されるフラッシュメモリが内蔵されたメモリカード用のスロットである。接続端子１１３は、コンピュータ装置や映像機器などの外部機器と接続するための端子である。
【００１９】
［２．一実施の形態の撮像装置の内部構成の例］
次に、図２を参照して、本実施の形態の例の撮像装置１００の内部構成例について説明する。
撮像レンズ１０１に入射した像光が結像する箇所には、撮像部である撮像素子１２１が配置してあり、撮像素子１２１で撮像信号を得る。得られた撮像信号は、アナログ信号処理部１２２に供給して各種アナログ信号処理を行った後、アナログ／デジタル変換部１２３でデジタル撮像信号に変換する。変換されたデジタル撮像信号は、デジタル信号処理部１２４に供給して、デジタル信号処理を行い、所定のフォーマットのデジタル画像信号を得る。
デジタル信号処理部１２４で得られたデジタル画像信号は、中央制御部（ＣＰＵ）１３３の制御で、フラッシュメモリ１３６に記録される。フラッシュメモリ１３６は、撮像装置１００に内蔵されたフラッシュメモリである場合と、図１に示したメモリカードスロット１１２に装着されたメモリカード内のフラッシュメモリとの場合がある。
【００２０】
また、デジタル信号処理部１２４で処理された画像信号を表示用画像信号生成処理部１３７に供給し、表示用画像信号生成処理部１３７で液晶表示パネル２００に表示させる画像信号処理を行う。従って、表示部である液晶表示パネル２００には、撮像部である撮像素子１２１で撮像した画像が表示される。表示用画像信号生成処理部１３７で生成される表示用画像信号には、撮像して得た画像の他に、各種案内用の画像があり、これらの画像の重畳処理や選択処理についても表示用画像信号生成処理部１３７で行う。各種案内や説明、設定などを行うための画像信号は、重畳画像生成部１３８で生成され、表示用画像信号生成処理部１３７に供給される。重畳画像生成部１３８で生成される画像としては、例えば通常モードで撮像中に表示させる各種案内用のアイコン画像や、説明モードでの案内表示画像などがある。これらの画像の詳細については後述する。
【００２１】
また、デジタル信号処理部１２４が出力する画像信号又はフラッシュメモリ１３６に記録された画像信号は、入出力制御部１２５の制御で画像信号などを出力する端子１１３から、外部に出力させることが可能としてある。
【００２２】
撮像装置１００の制御系としては、中央制御部１３３を備える。中央制御部１３３には、図１に示した各種ボタン１０２，１０３，１０５，１０７，１０８，１０９からの操作指令が供給される。そして、これらのボタンでユーザの操作入力を受け付けたとき、中央制御部１３３は、バスライン１３１を介して各部に指示を送り、撮像などの動作を制御する。
【００２３】
バスライン１３１には、撮像装置の動作プログラムなどが記憶されたプログラムＲＡＭ１３４と、処理中のデータなどを記憶するＲＡＭ１３５とが接続してあり、中央制御部１３３がプログラムＲＡＭ１３４に記憶されたプログラムに従って処理を実行する。後述する通常モード時のアイコン画像の表示処理と、その表示されたアイコン画像などを説明する説明モード時の表示処理についても、プログラムＲＡＭ１３４に記憶されたプログラムに従って中央制御部１３３の制御で行われる。
【００２４】
ここで、図８を参照して、撮像を行うモードである、通常モードの際の液晶表示パネル２００での表示例について説明する。
図８は、表示部である液晶表示パネル２００に表示されるモニタ画像２０１の例を示し、モニタ画像２０１として、撮像部である撮像素子１２１が撮像して得た画像がほぼ全面に表示されている。このモニタ画像２０１は、リアルタイムに撮像される画像であるので、通常は動画像であり、シャッタボタン１０２を押すなどで撮像処理があった際には、一時的に撮像した画像の静止画像が表示されることがある。
【００２５】
そして、モニタ画像２０１には、各種案内用のアイコン画像が重畳させてある。図８の例では、電池残量アイコン画像２１１と、撮影モード用アイコン画像２１２と、フラッシュ警告用アイコン画像２１３と、記録画像サイズアイコン画像２１４と、メモリカード装着アイコン画像２１５とが表示させてある。それぞれのアイコン画像２１１〜２１５は、モニタ画像２０１の上端や左端などの、各アイコン画像ごとに予め決められた位置に重畳させて表示させてある。
なお、図８の例では、撮像を行う撮像状態の通常モードでの表示としたが、その他のモード、例えば再生を行う再生状態の通常モードでの表示時にも、その再生を案内するアイコン画像が表示される。
本実施の形態の例の撮像装置１００においては、この図８に示すような通常モードでの表示時に、図１に示した説明モードボタン１０８の操作入力があったとき、中央制御部１３３は、液晶表示パネル２００に表示される画像を説明モードの表示とする処理を行う。
【００２６】
［３．一実施の形態の例の説明モード起動時の処理］
図３のフローチャートは、説明モードボタン１０８の操作で、中央制御部１３３での制御処理で説明モードを起動させる際の処理の全体を示したものであり、図４はその説明モードでアイコン画像を説明するために用意されたデータの例を示す。なお、以下の説明で画面と述べた場合には、表示部である液晶表示パネル２００の表示画面のことを示す。
【００２７】
図３のフローチャートに従って説明すると、まず、通常モード表示処理が行われている間に、説明モードボタン１０８の操作入力を判別して説明モードが起動されると（ステップＳ１００）、アイコンテーブルを作成する処理が行われる（ステップＳ１０１）。アイコンテーブルは、説明モードが起動された時点、つまり説明モードボタン１０８のユーザによる操作があった時点で、液晶表示パネル２００に表示中のアイコン画像についてのデータを記憶するテーブルであり、例えばＲＡＭ１３５に記憶される。アイコンテーブルの作成処理とテーブルの詳細例は、図５及び図６で後述する。
【００２８】
アイコンテーブルの作成処理が行われると、中央制御部１３３での制御で、ガイド初期画面表示処理が行われる（ステップＳ１０２）。このガイド初期画面表示では、撮像装置の操作を説明するための、予め用意された初期画面が表示される。
図９は、ガイド初期画面の表示例を示したものである。このガイド初期画面では、説明項目を選択するための各種ボタン表示が行なわれる。例えば図９に示すように、撮る／見るガイドボタン２２１と、アイコンガイドボタン２２２と、困ったときボタン２２３と、目的別ガイドボタン２２４と、用語検索ボタン２２５と、ガイド履歴表示ボタン２２６とを表示させてある。また、画面の下端には、ボタン選択を案内する操作ガイド表示２２７を表示させてある。
【００２９】
図９の例では、アイコンガイドボタン２２２が選択されて、そのアイコンガイドボタン２２２に、選択枠２２８が表示された状態を示している。この状態で、決定キー１０７（図１）のユーザ操作があることで、アイコンガイドボタン２２２の選択が確定する。また、他のボタンの選択状態に移動させる際には、上下左右キー１０６のユーザ操作が行なわれる。なお、通常モードから説明モードが起動された際には、初期状態で、図９に示すようにアイコンガイドボタン２２２に選択枠２２８を表示させて、決定キー１０７の操作だけで直ちにアイコンガイドに移るようにしても良い。
【００３０】
図３のフローチャートの説明に戻ると、この例では、このガイド初期画面表示が行なわれた状態で、決定キー１０７のユーザ操作があり、アイコン選択画面に表示処理が行なわれたものとする（ステップＳ１０３）。このアイコン選択画面表示では、アイコンテーブルに記憶されたデータに基づいて、直前に表示されていたアイコン画像を画面中に全て表示させる。そして、その表示されたアイコン画像中の１つのアイコン画像を選択する操作入力が、上下左右キー１０６と決定キー１０７の操作であった場合に、選択されたアイコン画像についてのアイコン説明表示処理が起動される（ステップＳ１０４）。アイコン説明表示処理が起動されると、説明画面が表示される（ステップＳ１０５）。
【００３１】
ステップＳ１０５での説明画面を表示させた後、中央制御部１３３は、操作入力があるか否か判断し（ステップＳ１０６）、その判断に基づいて他の表示に移る。即ち、例えばメニューボタン操作がある場合には、ステップＳ１０２のガイド初期画面表示に戻る。また、終了操作がある場合には、通常画面表示に戻る（ステップＳ１０７）。さらに、説明画面で実行ボタン表示があり、その実行ボタンを選択して確定する操作がある場合には、説明画面で説明中の機能を選択するための機能選択画面表示が行なわれる（ステップＳ１０８）。
【００３２】
図１０は、図３のフローチャートのステップＳ１０３でのアイコン選択画面表示の表示処理例を示した図である。
アイコン選択画面表示では、アイコンテーブルのデータに基づいて、ステップＳ１００の説明モードが起動される直前に通常モードで表示されていたアイコン画像のみを、通常モードでの表示状態と同じ表示状態で表示させてある。ここでの同じ表示状態とは、通常モード時そのままの画面内の配置位置及びサイズで表示させる。即ち、図８に示した例と同じ配置位置で、電池残量アイコン画像２１１と、撮影モード用アイコン画像２１２と、フラッシュ警告用アイコン画像２１３と、記録画像サイズアイコン画像２１４と、メモリカード装着アイコン画像２１５とを表示させる。但し、この例では、予めプログラムＲＡＭ１３４などに記憶させて用意された静止画像を背景画像２３１としたアイコン選択画面表示を行うようにしてある。この静止画像を背景画像２３１とした表示を行うことで、通常モードとは異なる表示であることがユーザには容易に理解できる。
【００３３】
そして、図１０に示したアイコン選択画面表示では、選択中のアイコンを示す選択枠表示２３３を行うと共に、選択操作を案内する選択案内表示２３２を行うようにしてある。選択案内表示２３２では、上下左右キー１０６と決定キー１０７の操作で、アイコン選択が行えることを図形などで案内してある。この上下左右キー１０６の操作入力があると、選択枠表示２３３の表示位置が順に移動し、所望のアイコン画像を選択することができる。決定キー１０７の操作で、その選択位置のアイコンが確定する。
【００３４】
図１１は、アイコン選択画面表示で、選択枠表示２３３′の位置を動かした例を示したものである。この図１１の例では、図１０の選択枠表示２３３から、上下左右キー１０６の操作で１つ右横に移動させ、記録画像サイズアイコン画像２１４を選択した例である。このようにして、選択枠表示の位置を、ユーザ所望のアイコン画像の位置とすることができる。
【００３５】
図１２は、図３のフローチャートのステップＳ１０５でのアイコン説明画面の表示例を示したものである。
図１２の例のアイコン説明画面は、電池残量アイコン画像２１１を選択した場合の説明表示例を示した図である。このアイコン説明画面は、図４に示したアイコン説明用データに基いて行なわれる。アイコン説明用データは、この撮像装置１００の表示パネルに表示可能に用意されたそれぞれのアイコン画像を説明するためのデータである。具体的には、図４に示すように、説明ＩＤ１１と、タイトル１２と、第１の説明文１３と、第２の説明文１４と、第３の説明文１５と、ガイドコンテンツ画像１６と、対応する画像オブジェクトＩＤ１７などが、それぞれのアイコン画像に、対応付けて、用意されている。但し、説明文１３，１４，１５については、３つの画面での説明が必要な場合に３種類記憶させてあり、２種類又は１種類だけが記憶されたアイコン画像の場合もある。対応する画像オブジェクトＩＤ１７では、説明文１３，１４，１５で説明された全てのアイコン画像の画像オブジェクトＩＤを記憶させてある。例えば図４の例では、説明ＩＤ００１に対応する画像オブジェクトＩＤ１７として、電池残量に関する全てのアイコン画像を示してある。従って、電池残量に関するどのアイコン画像が表示された状態でも、説明ＩＤ００１の説明（タイトル１２と第１の説明文１３とガイドコンテンツ画像１６）が表示される。
【００３６】
図１２の例のアイコン説明画面について説明すると、タイトル表示２４１と、アイコン画像変化例表示２４２と、説明文表示２４３と、操作案内表示２４４とを行うようにしてある。タイトル表示２４１は、図４のアイコン説明用のデータのタイトル１２のデータを表示させたものである。説明文表示２４３としては、図４に示したように複数の説明文がある場合には、１ページずつ順に表示される。画像変化例表示２４２は、図４のアイコン説明用のデータのガイドコンテンツ画像１６として用意された画像を表示させたものである。この例では、バッテリ残量を複数段階で示す画像（フル充電の画像、残量減少時の画像（その１）、残量減少時の画像（その２）、残量なしの画像）を並べて配置させた画像変化例表示２４２を表示させた例としてある。この図１２の画像変化例表示２４２は一つの表示例であり、図４のガイドコンテンツ画像１６として用意された、各アイコンを説明するための画像が表示される。
【００３７】
図１３は、別のアイコン画像の説明画面の表示例である。この例では、撮影される静止画の画像サイズのアイコン画像（図１１のアイコン画像２１４に対応）についての説明文である。タイトル表示２５１と、アイコン画像変化例表示２５２と、説明文表示２５３と、実行ボタン表示２５４と、操作案内表示２５５とを行うようにしてある。アイコン画像変化例表示２５２では、表示される複数の画像サイズの一覧を表示させてある。実行ボタン表示２５４は、図３のフローチャートでのステップＳ１０６での実行ボタン操作を判断して、ステップＳ１０８に移るための表示である。図１３の例では、実行ボタン表示２５４は、「使ってみる」と表示させてある。
【００３８】
図１４の例は、図３のフローチャートのステップＳ１０８での、説明画面で説明中の機能を選択するための機能選択画面表示例を示した図である。この例では、図１３例の実行ボタン表示２５４を押したときの画像サイズ選択画面表示２６１である。選択可能な画像サイズの一覧中から、選択される画像サイズ表示２６２を行うようにしてある。また、操作案内表示２６３，２６４を行うようにしてある。
【００３９】
この機能選択画面表示に基づいたユーザ操作で、撮影画像サイズ（画素数及び画像の縦横比）の設定（変更）操作を行うことができる。従って、ユーザが選択したアイコン画像についての説明文を表示させた後、その説明された機能についての設定を行うことができる。
【００４０】
［４．一実施の形態の例のアイコンテーブル作成処理］
図５のフローチャートは、図３のフローチャートのステップＳ１０１での、アイコンテーブルの作成処理例を示した図である。アイコンテーブルは、既に説明したように、アイコンの説明モードが起動された際に、通常モードでの表示中のアイコン画像についての記憶データであり、ＲＡＭ１３５などに記憶される。
図５に従って説明すると、アイコンテーブルの作成が開始されると（ステップＳ２００）、アイコンテーブルの初期化処理が行なわれる（ステップＳ２０１）。その後、アイコンの説明モードが起動された際に、表示画面に表示中のアイコン画像を検索する（ステップＳ２０２）。そして、その検索された表示中のアイコン画像の画像オブジェクトの種別（ＩＤ）と、そのアイコン画像の表示位置及び表示サイズを、アイコンテーブルに格納して記憶させる。全ての表示中のアイコン画像についてのデータが格納されることで、アイコンテーブルの作成が終了する。
【００４１】
図６は、アイコンテーブルのデータの例を示したものである。
アイコンテーブルは、図６に示すように、アイコンの表示物名称２１と、表示ＩＤ２２と、画像オブジェクト名２３とを記憶させてある。これらのデータは、アイコン画像を表示させるために用意されたデータを参照して記憶される。さらに、画面中の水平方向の位置（ｘ）２４と、画面中の垂直方向の位置（ｙ）と、水平方向の表示幅（ｗ）２６と、垂直方向の表示高さ（ｈ）２７とを記憶させてある。これらの位置や幅は、実際にアイコン画像を表示処理させた位置や幅の値としてある。位置や幅の値は、例えばアイコン画像を表示する画面の解像度を、単位として示してある。図６に示した例では、６４０×４８０の画面解像度において、表示物のｘｙ座標をドット単位で表現している。それぞれの行や項目において、何も記憶させるデータがない場合には、そのことを示すヌルデータ（表中ではＮＵＬＬと記載）を記憶させるようにしてある。
このようにアイコンテーブルを記憶させたことで、図３のフローチャートで説明したように、アイコン選択画像を表示させる際には、アイコンテーブルに記憶させた位置及びサイズで、アイコンの表示が可能となる。
【００４２】
図７は、アイコンテーブルのデータに基づいて、アイコン選択画像を表示させる処理の例を示した図である。
図７に従って処理を説明すると、アイコン選択画像の表示処理が開始されると（ステップＳ３００）、まず背景画像の描画処理が開始される（ステップＳ３０１）。その後、アイコンテーブルの先頭行がヌルデータ（無データ）か否か判断され（ステップＳ３０２）、何もデータが記憶されていない箇所であるヌルデータの場合には、そのことを示すメッセージ表示が行なわれる（ステップＳ３０３）。
【００４３】
図１５の表示例は、このステップＳ３０３での表示２７１の例を示したものである。
この例では、「説明できるアイコンがありません。［メニュー］を押してください」と表示させてある。
【００４４】
図７の説明に戻ると、ステップＳ３０２でヌルデータでないと判断した場合には、アイコンテーブル上の先頭行の画像ＩＤのアイコン画像を、そのテーブルで指示された座標位置及びサイズで描画させて、背景画像上に重畳表示させる（ステップＳ３０４）。そして、アイコンテーブルの次の行に移動し（ステップＳ３０５）、その移動した行がヌルデータ（無データ）か否か判断され（ステップＳ３０６）、ヌルデータの場合には、アイコン選択画像の作成処理を終了する（ステップＳ３０７）。
【００４５】
ステップＳ３０６でヌルデータでない場合には、ステップＳ３０４の処理に戻り、その行の画像ＩＤのアイコン画像を、そのテーブルで指示された座標位置及びサイズで描画させて、背景画像上に重畳表示させる。このようにして処理が繰り返されることで、例えば図１０に示したように、その直前の通常モードで表示された全てのアイコン画像が、同じ位置及びサイズで表示されるようになる。
【００４６】
従って、アイコン選択画面では、その直前の動作モードでの表示との関連が判り易い表示形態となり、簡単に所望のアイコンを選択できるようになり、意味がわかないアイコンを直感的に選択できるようになる。そして、アイコンを選択して決定操作すると、すぐにその説明が表示され、撮像装置に対する操作者の理解を助けることができ、結果的に撮像装置の操作性を向上させることができる効果を有する。また、アイコン選択画面では、背景映像を静止画像としたことで、アイコンが識別しやすい表示になると共に、通常とは異なる表示（つまりアイコン選択用の画面）であることが判り、アイコンの良好な選択が行える。
【００４７】
［５．他の実施の形態の例（タッチパネルの例）の表示例］
ここまで説明した実施の形態の例では、アイコン選択画面などでの選択時には、表示パネル２００とは別に配置された上下左右キー１０６や決定キー１０７を使用した操作を行うようにした。これに対して、液晶表示パネルなどの表示パネルとして、指などの物体の接触又は近接を検出するタッチパネルを備えた場合には、上下左右キーや決定キーに相当するボタンを画面中に表示させて、そのボタンのタッチで同様の操作が行えるようにしても良い。
【００４８】
図１６は、このタッチパネルの場合の撮像装置１００′の例を示した図である。
撮像装置１００′は、タッチパネル付表示パネル３００を備え、図１６は、アイコン選択画像を表示させた場合の例を示している。
表示パネル３００には、予め用意された静止画像による背景画像３０１が表示させてあり、その背景画像３０１に重畳させて、各アイコン画像３１１，３１２，３１３，３１４，３１５を表示させてある。また、図１６では、選択されるアイコンを示す表示枠３２１を、アイコン画像３１１に重ねて表示させてある。
さらに、方向指示及び決定操作を行うボタン表示３３１と、戻るボタン３３２と、終了ボタン３３３とを表示させてある。
【００４９】
このような表示が行なわれた状態で、ボタン表示３３１が行なわれた箇所をユーザが指などでタッチすることで、図１例の撮像装置１００と同様のアイコン画像の選択が可能になる。
なお、図１６の例では、方向指示及び決定操作を行うボタン表示３３１を行うようにした。これに対して、アイコン選択画像が表示された状態で、表示パネル３００に表示された各アイコン画像３１１，３１２，３１３，３１４，３１５の表示箇所の近傍を、ユーザの指などで直接タッチすることで、そのアイコン画像の選択を行うようにしても良い。このようにアイコン選択画像が表示された状態で、アイコン画像を直接タッチすることで、アイコン画像の選択ができることで、より簡単に所望のアイコンの説明表示が行える。
【００５０】
［６．変形例］
なお、上述した実施の形態では、アイコン選択画面表示時に、図１０に示したように、予め用意された静止画像を背景画像２３１とした表示を行うようにし、通常モードとは異なる表示として、ユーザに容易に選択用の表示であると区別できるようにした。この予め用意された背景画像については、重畳されたアイコン画像の表示を邪魔しない画像であることが好ましい。背景画像そのものはどのような画像でも良いが、例えば全面黒や全面白などの単色画像などの単調な画像よりも、何らかの風景などの画像の方が好ましい。全面黒などの単色画像が背景に表示された場合には、ユーザは故障と誤って判断する可能性があり、好ましくないので、本実施の形態の例の場合には何らかの背景画像を表示させてある。但し、業務用の撮像装置などのように、ある程度操作者が限られた装置の場合には、背景画像を省略して、背景を全面で同じ色とする無背景の表示としてもよい。あるいは、ユーザ操作による設定処理で、何らかの背景画像を重畳するモードと、無背景とする表示モードとを選択できるようにしてもよい。
【００５１】
この背景画像については、静止画像ではなく、用意された動画像を背景映像としても良い。
あるいは、撮影時の通常モード表示時と同様に、撮像して得た画像信号による動画又は静止画の背景を表示させても良い。この撮像して得た画像信号による動画又は静止画の背景を表示させる際には、例えば画像の輝度を通常表示時よりも低下させた背景画像として、通常モードと容易に区別できるようにしても良い。輝度の代わりに色度を低下させた背景画像としても良い。予め用意された静止画像などの背景画像とする場合でも、通常表示時よりは輝度を落とした画像としても良い。
さらに、これらの各種背景画像の表示を、ユーザ操作による設定処理で選択できるようにしてもよい。
【００５２】
また、上述した実施の形態の例では、説明モードボタンが操作された際に、図９に示した初期画面を表示させるようにしたが、例えば、説明モードボタンの操作入力があった際に、直接、図１１などに示したアイコン選択画面を表示させるようにしてもよい。
また、図１０などのアイコン選択画面では、動作モード時の表示画面と同じアイコン配置で表示を行う例としたが、アイコン画像の一覧表示などのその他の表示形態としても良い。
また、図１０などの表示例で、通常モードでの表示状態と同じ表示状態として、通常モード時そのままの配置位置及びサイズで表示させたのは、１つの例であり、通常モード時とほぼ同じ表示状態であることが理解できる表示状態であれば他の表示状態でもよい。例えば、通常モード時に画面の隅に表示されていたアイコン画像を、若干、内側の見やすい位置に移動させて表示させるようにしてもよい。あるいは、通常モード時よりもアイコン画像の表示サイズを若干大きくし目立たせるようにしてもよい。
【００５３】
また、上述した実施の形態の例では、撮像装置に適用した例としたが、その他の画像処理装置としての機能を備えた各種電子機器でのアイコン画像の説明に適用しても良い。
例えば、携帯電話端末装置が備える表示パネルでアイコン画像を表示させる際に、特定のキー操作などで説明モードとしたとき、図３のフローチャートに示す処理が行なわれて、アイコン選択用の画像が表示させ、その後の操作で説明画像となるようにしても良い。
また、タブレット型のパーソナルコンピュータ装置、携帯情報端末、音楽再生用端末、電子ゲーム端末、電子書籍端末などが備える表示パネルでアイコン画像を表示させた場合のキー操作で、同様のアイコン説明画像の表示を行うようにしても良い。これらの端末装置で表示パネルとしてタッチパネルを備えたものの場合には、例えば図１６に示した表示例が適用可能である。
また、表示部そのものは、本実施の形態の形態で説明した処理を行う電子機器本体とは別体で構成されたものでもよい。例えば、撮像装置の場合に、その撮像装置で撮像した画像などを表示する表示装置（ファインダ）が撮像装置本体とは別体で構成された場合にも本発明は適用可能である。
【符号の説明】
【００５４】
１００，１００′…撮像装置、１０１…撮像レンズ、１０２…シャッタボタン、１０３…電源ボタン、１０４…フラッシュ、１０５…再生ボタン、１０６…上下左右キー、１０７…決定キー、１０８…説明モードボタン、１０９…メニューボタン、１１０…蓋、１１１…電池収納部、１１２…メモリカードスロット、１１３…接続端子、１２１…撮像素子、１２２…アナログ信号処理部、１２３…アナログ／デジタル変換部、１２４…デジタル信号処理部、１２５…入出力制御部、１３１…バスライン、１３２…操作入力部、１３３…中央制御部（ＣＰＵ）、１３４…プログラムＲＡＭ、１３５…ＲＡＭ、１３６…フラッシュメモリ、１３７…表示用画像信号生成部、１３８…重畳画像生成部、２００…液晶表示パネル、３００…タッチパネル付表示パネル
【図１】
2018064282.tif 000003
【図２】
2018064282.tif 000004
【図３】
2018064282.tif 000005
【図４】
2018064282.tif 000006
【図５】
2018064282.tif 000007
【図６】
2018064282.tif 000008
【図７】
2018064282.tif 000009
【図８】
2018064282.tif 000010
【図９】
2018064282.tif 000011
【図１０】
2018064282.tif 000012
【図１１】
2018064282.tif 000013
【図１２】
2018064282.tif 000014
【図１３】
2018064282.tif 000015
【図１４】
2018064282.tif 000016
【図１５】
2018064282.tif 000017
【図１６】
2018064282.tif 000018
【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
画像を撮像する撮像部と、
表示部と、
前記表示部に説明表示画面を表示させる制御を行う制御部と、を有し、
前記制御部は、前記説明表示画面内に動作モードを示すタイトルを表示し、前記動作モードを説明する説明文を表示し、前記動作モードを選択した場合の撮像画面の変化の例を示す画像変化例を表示するように制御し、
前記制御部は、前記説明表示画面内に前記動作モードを実行するための実行ボタンを表示させる
撮像装置。
【請求項２】
前記制御部は、さらに、前記説明表示画面内に、表示部の表示を戻すための戻るボタンを表示させる
請求項１に記載の撮像装置。
【請求項３】
前記説明表示画面は、装置本体に配置された操作部の操作により、所定のガイドモードを選択することで表示される
請求項１に記載の撮像装置。
【請求項４】
前記実行ボタンの操作により、前記説明表示画面がモニタ画像に遷移する
請求項１に記載の撮像装置。
【請求項５】
前記制御部は、決定した動作モードに応じたアイコン画像を、前記モニタ画像上に表示させる
請求項４に記載の撮像装置。
【請求項６】
前記説明表示画面は、１つのタイトルについて複数の説明画面を用意し、前記複数の説明画面を切り替えるようにした
請求項１又は２に記載の撮像装置。
【請求項７】
前記複数の説明画面を切り替えることで、表示される説明文が異なる文章に変化するようにした
請求項６に記載の撮像装置。
【請求項８】
１つのタイトルが複数の説明文を持つようにした
請求項６に記載の撮像装置。
【請求項９】
前記動作モードは、撮像する際の設定に関するモードである
請求項１〜８のいずれか１項に記載の撮像装置。
【請求項１０】
前記画像変化例は、前記動作モードを説明するガイドコンテンツ画像である
請求項１〜９のいずれか１項に記載の撮像装置。
【請求項１１】
前記画像変化例は、あらかじめ用意された画像を複数並べて配置する
請求項１〜１０のいずれか１項に記載の撮像装置。
【請求項１２】
あらかじめ用意された画像を複数並べて配置することで、前記動作モードを設定したときの変化状態を示す
請求項１１に記載の撮像装置。
【請求項１３】
前記説明文は、前記動作モードを設定したことによる効果を文章で示す
請求項１〜１２のいずれか１項に記載の撮像装置。
【請求項１４】
前記説明文は、撮像装置の操作方法を説明する文章である
請求項１〜１２のいずれか１項に記載の撮像装置。
【請求項１５】
前記説明文は、ユーザに対し特定の操作を促す説明である
請求項１〜１２のいずれか１項に記載の撮像装置。
【請求項１６】
前記表示部はタッチパネル付き表示パネルを備え、
タッチ操作で表示の切り替えができるようにした
請求項１〜１５のいずれか１項に記載の撮像装置。
【手続補正２】
【補正対象書類名】明細書
【補正対象項目名】００１１
【補正方法】変更
【補正の内容】
【００１１】
本発明の撮像装置は、画像を撮像する撮像部と、表示部と、表示部に説明表示画面を表示させる制御を行う制御部と、を有する。制御部は、説明表示画面内に動作モードを示すタイトルを表示し、動作モードを説明する説明文を表示し、動作モードを選択した場合の撮像画面の変化の例を示す画像変化例を表示するように制御し、制御部は、説明表示画面内に前記動作モードを実行するための実行ボタンを表示させる。
撮像装置。
【手続補正３】
【補正対象書類名】明細書
【補正対象項目名】００１２
【補正方法】変更
【補正の内容】
【００１２】
本発明によると、装置の操作に対するユーザの理解を効果的に助けることができると共に、結果的に装置の操作性の向上につながる。